(57)【特許請求の範囲】
【請求項１】
第１の記録媒体の予め区分された記録領域毎に記録されているデータを読み取って、第２の記録媒体に記録する記録手段と、
前記第1の記録媒体における前記データの記録位置に基づいて、複数の前記データの中から優先的に再生すべきメインデータを認識する認識手段と、
前記認識手段が認識する前記メインデータを、他の前記データから識別する為の識別情報を前記第２の記録媒体における所定の記録領域に記録する識別情報記録手段と
を備えることを特徴とする記録装置。
【請求項２】
前記第１の記録媒体はディスク状の記録媒体であり、
前記認識手段は、複数の前記データの内、前記記録媒体の最も内側のトラックに記録されているデータを、前記メインデータとして認識することを特徴とする請求項１記載の記録装置。
【請求項３】
前記識別情報記録手段は、前記第２の記録媒体のＵＴＯＣエリアに前記識別情報を記録することを特徴とする請求項１又は２記載の記録装置。
【請求項４】
前記記録手段は、前記第１の記録媒体から読み取った前記データを音声圧縮する圧縮手段を更に備え、この圧縮手段が圧縮するデータを前記第２の記録媒体に記録することを特徴とする請求項１乃至３の何れか記載の記録装置。
【請求項５】
請求項１乃至４の何れか記載の記録装置によって複数の前記データ及び前記識別情報が記録された前記第２の記録媒体の記録内容を再生する再生装置であって、
前記第２の記録媒体における所定の記録領域から前記識別情報を読み出すことにより、複数の前記データの中から前記メインデータを特定する特定手段と、
前記特定手段が特定する前記メインデータのみを再生する再生手段と
を備えることを特徴とする再生装置。
【請求項６】
前記再生手段は、前記第２の記録媒体に複数の前記メインデータが記録されている場合には、それら複数のメインデータの内の何れか１つをランダムに選択して、そのランダム選択したメインデータを再生するランダム再生手段を更に備えることを特徴とする請求項５記載の再生装置。
【請求項７】
前記再生手段は、前記メインデータの一部のみを再生するイントロ再生手段を更に備えることを特徴とする請求項５又は６記載の再生装置。
【発明の詳細な説明】
【０００１】
【発明の属する技術分野】
本発明は、ＭＤ等の記録媒体にデータを記録する記録装置、及び記録媒体に記録されたデータを再生する再生装置に関する。
【０００２】
【従来の技術】
従来より、ＭＤ（Mini ＤＩＳＣ）に対応する記録再生部とＣＤ（Compact ＤＩＳＣ）に対応する再生部とを同一の筐体内に配して１つの複合機器としたものが提供されている。この様な複合機器によれば、ＣＤやＭＤを用いた再生が楽しめると共に、ＣＤからＭＤへのダビング（記録）も容易に行える。
【０００３】
また、近年の音声圧縮技術の向上に伴い、ＡＴＲＡＣ（Adaptive TRansform Acoustic Cording）の他に、更にＡＴＲＡＣIIIと称される規格が制定されている。この規格には、ＬＰ２（Long Ｐlay２倍モード）とＬＰ４（Long Ｐlay４倍モード）とがある。一方のＬＰ２は、筺音楽データを１／１０に圧縮する技術で、これにより、一枚当たり標準モードで８０分の記録が可能なＭＤに対して、１６０分間の記録が可能となる。他方のＬＰ４は、音楽データを１／２０に圧縮する技術で、これにより、３２０分間の記録が可能となる。
【０００４】
このＡＴＲＡＣIIIに対応する複合機器は、ＬＰ２モードとＬＰ４モードを有しており、高い圧縮率で音楽データを圧縮して記録できるので、複数のシングルＣＤに記録されている多数の音楽データを一枚のＭＤに記録できる。特に、ＬＰ４モードにおいては、約３２枚分のシングルＣＤに含まれる音楽データを、一枚のＭＤに記録できる。
【０００５】
【発明が解決しようとする課題】
しかしながら、上記の様な従来の複合機器では、非常に多くの曲を一枚のＭＤに記録できる反面、記録した多数の曲の内、所望の曲を再生したい場合は、スキップキーを押下操作して複数の曲を順次検索するか、或いはテンキーにて所望の曲に対応する番号を入力するといった煩雑な操作を要していた。
【０００６】
本発明は、上記の事情に鑑みてなされたもので、記録した複数の曲の中から所望の曲のみを容易に再生することを実現する記録装置、及び再生装置を提供することを課題とする。
【０００７】
【課題を解決するための手段】
本発明は、この様な課題を達成するために、次のような特徴を備えている。なお、次に示す手段等の説明中、括弧書きにより実施の形態に対応する構成を１例として例示する。また、符号等は添付する図面の参照符号である。
【０００８】
請求項１記載の発明は、第１の記録媒体（例えば、図１に示すＣＤ２１）の予め区分された記録領域毎に記録されているデータを読み取って、第２の記録媒体（例えば、図１に示すＭＤ１１）に記録する記録手段（例えば、図１に示すシステムコントローラ３１）と、
前記第1の記録媒体における前記データの記録位置に基づいて、複数の前記データの中から優先的に再生すべきメインデータ（例えば、後述するオリジナルデータ）を認識する認識手段（例えば、図１に示すシステムコントローラ）と、
前記認識手段が認識する前記メインデータを、他の前記データから識別する為の識別情報を前記第２の記録媒体における所定の記録領域に記録する識別情報記録手段（例えば、図１に示すヘッド駆動部１９及び光ピックアップ１３）と
を備えることを特徴としている。
【０００９】
請求項１記載の発明において、記録手段は、第１の記録媒体の予め区分された記録領域毎に記録されているデータを読み取って、第２の記録媒体に記録する。その過程で、認識手段が第1の記録媒体におけるデータの記録位置に基づいて、複数のデータの中から優先的に再生すべきメインデータを認識し、識別情報記録手段が、認識手段によって認識されたメインデータを他のデータから識別する為の識別情報を第２の記録媒体における所定の記録領域に記録する。
【００１０】
これにより、非常に多数のデータを単一の第２の記録媒体に記録する場合でも、その第２の記録媒体の記録内容は、多数のデータの内、優先的に再生すべきメインデータのみを識別できる構成となるので、この第２の記録媒体を再生する場合には、多数のデータの中からメインデータのみを抽出して再生できる。従って、例えばデータとして、複数の曲の各々に対応する音楽データを第２の記録媒体に記録する場合、所望の曲に対応する音楽データをメインデータとして認識手段に認識させる様にすれば、記録した複数の曲の中から所望の曲のみを容易に再生することができる。
【００１１】
請求項２記載の発明は、請求項１記載の記録装置において、前記第１の記録媒体はディスク状の記録媒体（例えば、図１に示すＣＤ２１）であり、前記認識手段は、複数の前記データの内、前記記録媒体の最も内側のトラックに記録されているデータを、前記メインデータとして認識することを特徴としている。
【００１２】
請求項２記載の発明において、認識手段は、複数のデータの内、記録媒体の最も内側のトラックに記録されているデータをメインデータとして認識する。従って、記録媒体として例えばシングルＣＤを採用すれば、そのシングルＣＤの最も内側のトラックに記録されている１曲目のオリジナル曲は、概ね多くの視聴者によって好まれる嗜好性の高い曲であるので、当該記録装置の汎用性を向上できる。また、複数のシングルＣＤに含まれる音楽データを単一の第２の記録媒体に記録した場合でも、カラオケ曲等を飛ばしてオリジナル曲のみを再生できるという利便性がある。
【００１３】
請求項３記載に発明は、請求項１又は２記載の記録装置において、
前記識別情報記録手段は、前記第２の記録媒体のＵＴＯＣエリアに前記識別情報を記録することを特徴としている。ここで、ＵＴＯＣエリアは、第２の記録媒体の各トラックの記録日時、トラック名、及び記録するデータのスタートアドレスやエンドアドレス等の属性を記録する為の所定の記録領域である。
【００１４】
請求項３記載の発明において、識別情報記録手段は、第２の記録媒体のＵＴＯＣエリアに識別情報を記録する。即ち、この具体的態様によれば、第２の記録媒体として、例えばミニディスクを採用するわけであるが、このミニディスクには、予めＵＴＯＣエリアが設けられているので、識別情報を記録する為の所定の記録領域を共用することができる。これにより、識別情報の書き込み及び読み込みを迅速且つ的確に行える。
【００１５】
請求項４記載の発明は、請求項１乃至３の何れかに記載の記録装置において、前記記録手段は、前記第１の記録媒体から読み取った前記データを音声圧縮する圧縮手段（例えば、図１に示す音声圧縮エンコーダ／デコーダ３４）を更に備え、この圧縮手段が圧縮するデータを前記第２の記録媒体に記録することを特徴とする。
【００１６】
請求項４記載の発明によれば、圧縮手段が第１の記録媒体から読み取ったデータを音声圧縮し、圧縮されたデータを記録手段が第２の記録媒体に記録するので、第２の記録媒体には、非常に多数のデータを記録することができる。特に、ＬＰ４モードにおいては、約３２枚分のシングルＣＤに含まれる音楽データを、単一の第２の記録媒体に記録できる。但し、各々のシングルＣＤに対応するメインデータは、識別情報によって識別できるので、第２に記録媒体の記録内容を再生する際は、メインデータのみを再生できるという利便性がある。
【００１７】
請求項５記載の発明は、請求項１乃至４の何れか記載の記録装置によって複数の前記データ及び前記識別情報が記録された前記第２の記録媒体の記録内容を再生する再生装置であって、
前記第２の記録媒体における所定の記録領域から前記識別情報を読み出すことにより、複数の前記データの中から前記メインデータを特定する特定手段（例えば、図１に示すＥＦＭ・ＣＩＲＣエンコーダ／デコーダ１８）と、
前記特定手段が特定する前記メインデータのみを再生する再生手段（例えば、ステップＳ３０〜ステップＳ３５に係る処理を実行するシステムコントローラ３１）と、を備えることを特徴としている。
【００１８】
請求項５記載の発明によれば、特定手段が、請求項１乃至４の何れか記載の記録装置によって複数のデータ及び識別情報が記録された第２の記録媒体における所定の記録領域から識別情報を読み出すことにより、複数のデータの中からメインデータを特定し、その特定されたメインデータのみを再生手段が再生するので、仮に、第２の記録媒体に非常に多数の曲に対応する音楽データが記録される場合でも、記録した複数の曲の中からメインデータに対応する所望の曲のみを容易に再生できる。
【００１９】
請求項６記載の発明は、請求項５記載の再生装置において、
前記再生手段は、前記第２の記録媒体に複数の前記メインデータが記録されている場合には、それら複数のメインデータの内の何れか１つをランダムに選択して、そのランダム選択したメインデータを再生するランダム再生手段（例えば、ステップＳ５０〜ステップＳ５５に係る処理を実行するシステムコントローラ３１）を更に備えることを特徴としている。
【００２０】
請求項６記載の発明によれば、ランダム再生手段が、複数のメインデータの内の何れか１つをランダムに選択して、そのランダム選択したメインデータを再生するので、第２の記録媒体に記録されている複数のデータの内、メインデータのみを様々な順序で自動的に再生できる。これにより、常に一定の順序でメインデータを再生する場合に比して興趣性を向上できる。
【００２１】
請求項７記載の発明は、請求項５又は６記載の再生装置において、
前記再生手段は、前記メインデータの一部のみを再生するイントロ再生手段（例えば、ステップＳ６０〜ステップＳ６５に係る処理を実行するシステムコントローラ３１）を更に備えることを特徴としている。
【００２２】
請求項７記載の発明によれば、イントロ再生手段が、メインデータの一部のみを再生するので、多数のメインデータが第２の記録媒体に記録されている場合であっても、それら多数のメインデータの内、特に所望するメインデータに早くアクセスできる。
【００２３】
【発明の実施の形態】
以下、図１〜図６を参照して本発明の実施の形態を詳細に説明する。
【００２４】
図１は、本発明を適用した複合機器の主要部構成を示すブロック図である。図1に示す様に、複合機器１は、ＭＤ部１０、ＣＤ部２０、制御部３０、及び入出力部４０を備える。
【００２５】
ＭＤ部１０は、ＭＤ１１、スピンドルモータ１２、光ピックアップ１３、送りモータ１４、サーボ制御回路１５、ＲＦアンプ１６、アドレスデコーダ１７、ＥＦＭ・ＣＩＲＣエンコーダ／デコーダ１８、及びヘッド駆動部１９から構成される。
【００２６】
ＭＤ（ミニディスク）１１は、データ書換え可能な光磁気ディスクであり、そのディスク表面には複数のトラックが螺旋状に形成されている。各々のトラックには、一曲分の音楽データを記録できる。また、ＭＤ１１内の所定の内周トラック（以下、「ＵＴＯＣエリア」と記す。）には、ＵＴＯＣ（User Table Of Contents）情報が格納されている。
【００２７】
ここで、ＵＴＯＣ情報は、ＭＤ１１の各トラックの記録日時、トラック名（曲名）、及び音楽データのスタートアドレス及びエンドアドレス等の項目を含む。尚、記録日時の項目には、各々のトラックについて、そのトラックに音楽データが記録された年、月、日に対応する日付コードを格納する。例えば、「年」に対応する項目には、通常「２０００」や「１９９９」といった日付コードが格納される。
【００２８】
スピンドルモータ１２は、ＭＤ１１の記録又は再生時に一定の線速度でＭＤ１１を回転駆動する。光ピックアップ１３は、ＭＤ１１から光学的に情報を読み取り、読み取った情報を電気信号に変換する機能、及びヘッド駆動部１９と協働してＭＤ１１に音楽データを書き込む機能を有する。送りモータ１４は、再生時に光ピックアップ１３をＭＤ１１の半径方向に変位させる。サーボ制御回路１５は、スピンドルモータ１２、光ピックアップ１３、送りモータ１４の動作を直接制御する。
【００２９】
ＲＦ（Radio Frequency）アンプ１６は、光ピックアップ１３から供給される電気信号から、再生データ、エラー信号、アドレスデータを抽出する。更に、ＲＦアンプ１６は、抽出した再生データを増幅すると共に、エラー信号をサーボ制御回路１５へフィードバックする。
【００３０】
アドレスデコーダ１７は、ＲＦアンプ１６が抽出したアドレスデータを解読する。ＥＦＭ・ＣＩＲＣエンコーダ／デコーダ１８は、ＭＤ１１の再生時にはデコード回路として働く。詳細には、ＥＦＭ・ＣＩＲＣエンコーダ／デコーダ１８は、ＲＦアンプ１６が抽出した再生信号を、誤り訂正符号であるＣＩＲＣ（Cross Interleave Reed-solomon Code）で以って復号化すると共に、ＥＦＭ（Eight to Fourteen Modulation）変調処理を施す。また、このＥＦＭ・ＣＩＲＣエンコーダ／デコーダ１８は、ＭＤ１１への記録時にはエンコード回路として働く。
【００３１】
ヘッド駆動部１９は、ＭＤ１１を挟んで光ピックアップ１３と対向する位置に配置されており、ＥＦＭ・ＣＩＲＣエンコーダ／デコーダ１８から供給される信号に応じた磁場をＭＤ１１に印加する。これにより、ＭＤ１１に音楽データが記録される。
【００３２】
ＣＤ部２０は、ＣＤ２１、スピンドルモータ２２、光ピックアップ２３、送りモータ２４、サーボ制御回路２５、ＲＦアンプ２６、及びＥＦＭ・ＣＩＲＣエンコーダ／デコーダ２７から構成される。
【００３３】
ＣＤ２１は、再生専用の光ディスクで、例えば、２又は３曲分の音楽データを含むシングルＣＤ等のコンパクトディスクがこれに相当する。このシングルＣＤの最も内周側のトラック、即ち、１曲目には嗜好性の高いオリジナル曲が記録されており、２曲目又は３曲目には、カラオケ曲が記録されている。以下、オリジナル曲に対応する音楽データを「オリジナルデータ」と記す。
【００３４】
スピンドルモータ２２は、再生時に一定の線速度でＣＤ２１を回転駆動する。光ピックアップ２３は、再生時にＣＤ２１に対してレーザ光を照射し、その反射光を電気信号に変換することでＣＤ２１に予め記録されている音楽データを読み取る。送りモータ２４は、再生時に光ピックアップ２３をＣＤ２１の半径方向に変位させる。サーボ制御回路２５は、スピンドルモータ２２、光ピックアップ２３、及び送りモータ２４の動作を直接制御する。
【００３５】
ＲＦ（Radio Frequency）アンプ２６は、光ピックアップ２３から供給される電気信号から、再生データ、エラー信号、アドレスデータを抽出する。更に、ＲＦアンプ２６は、抽出した再生データを増幅すると共に、エラー信号をサーボ制御回路２５へフィードバックする。ＥＦＭ・ＣＩＲＣエンコーダ／デコーダ２７は、ＲＦアンプ２６が抽出した再生信号を、ＣＩＲＣで以って変調すると共に、ＥＦＭ変調する。
【００３６】
制御部３０は、システムコントローラ３１、耐震用メモリコントローラ３２、ＲＡＭ３３、音声圧縮エンコーダ／デコーダ３４から構成される。
【００３７】
システムコントローラ３１は、当該複合機器１の各構成要素に制御信号を出力し、これらを統一的に制御する。音声圧縮エンコーダ／デコーダ３４は、ＣＤ部２０のＥＦＭ・ＣＩＲＣデコーダ２７から出力されるデータをＡＴＲＡＣIII方式で以って圧縮する。
【００３８】
耐震用メモリコントローラ３２は、音声圧縮エンコーダ／デコーダ３４から供給される圧縮されたデータを一旦ＲＡＭ３３に蓄積し、蓄積したデータを適時読み出してＭＤ部１０のＥＦＭ・ＣＩＲＣエンコーダ／デコーダ１８に供給する。かくしてＲＡＭ３３は、緩衝記憶装置としての機能を有し、当該複合機器１の耐震性能の向上に寄与している。
【００３９】
入出力部４０は、表示部４１、キー入力部４２、Ｄ／Ａ変換器４３、オーディオ出力端子４４、Ａ／Ｄ変換器４５、オーディオ入力端子４６から構成される。
【００４０】
表示部４１は、液晶表示装置を備えており、システムコントローラ３１から出力される制御信号に応じて、ＭＤ１１又はＣＤ２１の総演奏時間、再生や録音の進行時間、トラック番号、或いは各種動作モード等の表示を行う。
【００４１】
キー入力部４２は、ＭＤ１１又はＣＤ２１の再生を指示する為のキー、ＣＤ２１に含まれる音楽データをＬＰ２モード或いはＬＰ４モードでＭＤ１１に記録（ダビング）する為のキー、及び後述するＢＥＳＴ・ＨＩＴＳキー、ＢＥＳＴ・ＨＩＴＳ・ＡＮＤ・ＲＡＮＤＯＭ・ＰＬＡＹキー、ＢＥＳＴ・ＨＩＴＳ・ＡＮＤ・ＩＮＴＲＯ・ＳＣＡＮ・ＰＬＡＹキーを備えており、これらのキーが押下操作されると、その押下されたキーに対応する状態変化信号をシステムコントローラ３１に出力する。
【００４２】
Ｄ／Ａ変換器４３は、ＭＤ１１またはＣＤ２１の再生の際にデジタルデータをアナログデータに変換する。詳細には、Ｄ／Ａ変換器４３は、ＭＤ１１の再生の際には、音声圧縮エンコーダ／デコーダ３４で解読されるデジタルデータをアナログデータに変換し、ＣＤ２１の再生に際には、耐震用メモリコントローラ３２から供給されるデジタルデータをアナログデータに変換する。これらのアナログデータは、オーディオ出力端子４４を介して図示しないスピーカ等に出力される。
【００４３】
Ａ／Ｄ変換器は４５、オーディオ出力端子４６を介して図示しないマイク等から外部供給されるアナログデータをデジタルデータに変換し、音声圧縮エンコーダ／デコーダ３４へ出力する。
【００４４】
以下、複合機器１の動作について、図２〜図６を参照して説明する。
【００４５】
図２は、ＣＤ２１に予め記録されている音楽データをＭＤ１１へ記録する際の複合機器１の動作を示すフローチャートである。複合機器１の電源がオンにされると、システムコントローラ３１は、キー入力部４２の押下によって発生する状態変化信号の受信を監視する（ステップＳ２０）。この監視は、録音が開始されるまで行われる（ステップＳ２０；ＮＯ）。
【００４６】
システムコントローラ３１は、キー入力部４２の所定のキーが押下され、録音を開始する旨の状態変化信号を受信すると（ステップＳ２０；ＹＥＳ）、サーボ制御回路２５に制御信号を出力することにより、スピンドルモータ２２を駆動させ、ＣＤ２１を再生する。ここで、システムコントローラ３１は、光ピックアップ２３によってレーザが照射されているトラックのトラック番号が１であるか否かを判定する（ステップＳ２１）。
【００４７】
ここで、トラック番号とは、ＣＤ２１に形成されている複数のトラックの各々を識別する為に付した番号で、ＣＤ２１の最も内側のトラックのトラック番号を１として、外周に向かって２、３…と増加する。また、このトラック番号と再生される曲の順番は対応している。即ち、トラック番号１のトラックには、1曲目の音楽データであるオリジナルデータが予め記録されている。
【００４８】
光ピックアップ２３がトラック番号１のトラックに記録されているオリジナルデータを読み取ろうとしているとき、即ち１曲目の再生が行われようとしている場合は（ステップＳ２１；ＹＥＳ）、システムコントローラ３１は、ヘッド駆動部１９を駆動させ、ＭＤ１１のＵＴＯＣ２エリアの「年」項目に日付コードとして「５０」を記録する（ステップＳ２２）。
【００４９】
このとき、ＣＤ２１はスピンドルモータ２２にて回転駆動されているが、光ピックアップ２３で読み取られた音楽データは、ＲＦアンプ２６で増幅されると共に、ＥＦＭ・ＣＩＲＣデコーダ２７で解読される。
【００５０】
解読された音楽データは、耐震用メモリコントローラ３２に出力される。耐震用メモリコントローラ３２は、出力された音楽データを音声圧縮エンコーダ／デコーダ３４に供給し、ＡＴＲＡＣIII方式で圧縮させ、圧縮させた音楽データをＲＡＭ３３に一旦蓄積する。そして、耐震用メモリコントローラ３２は、ＲＡＭ３３に蓄積した音楽データを適時読み出して、ＥＦＭ・ＣＩＲＣエンコーダ／デコーダ１８に供給する。
【００５１】
ＥＦＭ・ＣＩＲＣエンコーダ／デコーダ１８は、圧縮された音楽データをエンコードし、エンコードされた音楽データをヘッド駆動部１９に出力する。ヘッド駆動部１９はエンコードされた音楽データに応じた磁場をＭＤ１１に印加する。かくしてＣＤ２１に予め記録されていた音楽データがＭＤ１１に記録される。
【００５２】
上記の様にしてＣＤ２１からＭＤ１１への記録を行う過程で、システムコントローラ３１は、一曲目の再生が終了したか否かを判定し（ステップＳ２３）、一曲目が終了すると（ステップＳ２３；ＹＥＳ）、ＣＤ２１に含まれる全ての音楽データの再生が終了したか否か判定する（ステップＳ２４）。全曲の再生が終了していなければ（ステップＳ２４；ＮＯ）、再びステップＳ２１に戻る。
【００５３】
全曲の再生が終了すれば（ステップＳ２４；ＹＥＳ）、システムコントローラ３１は、サーボ制御回路１５に制御信号を出力してスピンドルモータ１２を停止させ、ＭＤ１１に対する記録を停止する（ステップＳ２５）。
【００５４】
次に、オリジナルデータのみを再生する際のシステムコントローラ３１の動作を説明するが、この様に、オリジナルデータのみを再生する動作を以下、「ＢＥＳＴ・ＨＩＴＳ・ＰＬＡＹ」と記す。
【００５５】
図３は、ＢＥＳＴ・ＨＩＴＳ・ＰＬＡＹを行う際の複合機器１の動作を示すフローチャートである。
【００５６】
前提として、ＭＤ１１には既に複数のシングルＣＤに含まれる音楽データが記録されているものとする。即ちＭＤ１１には、複数のオリジナルデータが記録されている。複合機器１の電源がオンにされると、システムコントローラ３１は、キー入力部４２の押下によって発生する状態変化信号の受信を監視する（ステップＳ３０）。この監視は、ＭＤの再生が開始されるまで行われる（ステップＳ３０；ＮＯ）。
【００５７】
システムコントローラ３１は、キー入力部４２のＢＥＳＴ・ＨＩＴＳキーが押下されると（ステップＳ３０；ＹＥＳ）、先ずＭＤ１１に含まれる全てのオリジナルデータの再生が終了したか否かを判定する（ステップＳ３１）。まだ全てのオリジナルデータの再生が終了していない場合（ステップＳ３１；ＮＯ）、システムコントローラ３１は、光ピックアップ１３がレーザを照射しているトラックに対応するＵＴＯＣ２エリアの「年」項目に日付コードとして「５０」が格納されているか否か判定する（ステップＳ３２）。
【００５８】
ＵＴＯＣ２エリアの「年」項目に「５０」が格納されていれば（ステップＳ３２；ＹＥＳ）、システムコントローラ３１は、そのトラックに記録されている音楽データが、録音の際にＣＤのトラック番号１のトラックに予め格納されていたものである旨を認識し、そのオリジナルデータを再生する（ステップＳ３４）。そのオリジナルデータの再生が終了した場合は（ステップＳ３５；ＹＥＳ）、再びステップＳ３１に戻る。
【００５９】
一方、ステップＳ３２において、ＵＴＯＣ２エリアの「年」項目に「５０」が格納されていなければ（ステップＳ３２；ＮＯ）、システムコントローラ３１は、光ピックアップ１３に次のトラックに記録されている音楽データを読み取らせるべく、送りモータ１４を稼動させ、光ピックアップ１３をＭＤ１１の外縁方向に移動させる（ステップＳ３３）。以下、この様な動作を「スキップアップ」と記す。
【００６０】
次いで、ステップＳ３１に戻り、システムコントローラ３１は、全てのオリジナルデータの再生が終了したか否か判定する。全てのオリジナルデータの再生が終了した場合は（ステップＳ３１；ＹＥＳ）、当該ＢＥＳＴ・ＨＩＴＳ・ＰＬＡＹを終了する。
【００６１】
ここで、図４を参照して、ＢＥＳＴ・ＨＩＴＳ・ＰＬＡＹにおけるＭＤ１１の再生態様について具体的に説明する。図４（ａ）は、ＭＤ１１の記録内容を模式的に示す図である。この図４（ａ）に示す様に、ＭＤ１１にはＤＩＳＣ．ＡからＤＩＳＣ．Ｅの５種類シングルＣＤに含まれる音楽データが格納されている。
【００６２】
各々のシングルＣＤには、２又は３曲分の音楽データが予め記録されている。特に、シングルＣＤにおける１曲目には、概ね多くの視聴者によって好まれるオリジナル曲が記録されている。
【００６３】
ＭＤ１１の記録内容を具体的に説明すると、例えば、ＭＤ１１のトラック番号１に対応するトラックには、ＤＩＳＣ．Ａのオリジナルデータが記録されており、ＭＤのトラック番号６に対応するトラックには、ＤＩＳＣ．Ｂの３曲目に対応する音楽データが記録されており、ＭＤのトラック番号１２に対応するトラックには、ＤＩＳＣ．Ｅの２曲目に対応する音楽データが記録されている。
【００６４】
図４（ｂ）は、複合機器１がＢＥＳＴ・ＨＩＴＳ・ＰＬＡＹにて上記のＭＤ１１を再生する場合の演奏順序を説明する為の図である。この図４（ｂ）に示す様に、各々のシングルＣＤのトラック番号１に予め格納されていたオリジナルデータのみが、ＭＤ１１におけるトラック番号の若い順に演奏される。
【００６５】
更に、当該複合機器１では、ＣＤのトラック番号１のトラックに予め格納されていたオリジナルデータのみを、ＭＤ１１におけるトラック番号の順によらずに、ランダムに選択して再生することもできる。以下、この様な復号機器１の動作を「ＢＥＳＴ・ＨＩＴＳ・ＡＮＤ・ＲＡＮＤＯＭ・ＰＬＡＹ」と記す。
【００６６】
図５は、ＢＥＳＴ・ＨＩＴＳ・ＡＮＤ・ＲＡＮＤＯＭ・ＰＬＡＹを行う際の複合機器１の動作を示すフローチャートである。
【００６７】
前提として、ＭＤ１１には既に複数のシングルＣＤに含まれる音楽データが記録されているものとする。即ち、ＭＤ１１には、複数のオリジナルデータが記録されている。複合機器１の電源がオンにされると、システムコントローラ３１は、キー入力部４２の押下によって発生する状態変化信号の受信を監視する（ステップＳ５０）。この監視は、ＢＥＳＴ・ＨＩＴＳ・ＡＮＤ・ＲＡＮＤＯＭ・ＰＬＡＹが開始されるまで行われる（ステップＳ５０；ＮＯ）。
【００６８】
システムコントローラ３１は、キー入力部４２のＢＥＳＴ・ＨＩＴＳ・ＡＮＤ・ＲＡＮＤＯＭ・ＰＬＡＹキーが押下されると（ステップＳ５０；ＹＥＳ）、光ピックアップ１３をＭＤ１１上でランダムに走査させ、任意のトラックを特定する（ステップＳ５１）。
【００６９】
ここで、システムコントローラ３１は、全てのオリジナルデータの再生が終了したか否かを判定する（ステップＳ５２）。まだ全てのオリジナルデータの再生が終了していない場合（ステップＳ５２；ＮＯ）、システムコントローラ３１は、ステップ５１においてランダムに特定したトラックに対応するＵＴＯＣ２エリアの「年」項目に日付コードとして「５０」が格納されているか否か判定する（ステップＳ５３）。
【００７０】
ＵＴＯＣ２エリアの「年」項目に「５０」が格納されていれば（ステップＳ５３；ＹＥＳ）、システムコントローラ３１は、そのトラックに記録されている音楽データが、録音の際にシングルＣＤのトラック番号１のトラックに予め格納されていたオリジナルデータである旨を認識し、そのオリジナルデータを再生する（ステップＳ５４）。そのオリジナルデータの再生が終了した場合は（ステップＳ５５；ＹＥＳ）、再びステップＳ５１に戻る。
【００７１】
一方、ステップＳ５３において、ＵＴＯＣ２エリアの「年」項目に日付コード「５０」が格納されていなければ（ステップＳ５３；ＮＯ）、再びステップＳ５１に戻って次のトラックをランダムに特定する。
【００７２】
システムコントローラ３１は、ステップＳ５２において、全てのオリジナルデータの再生が終了したと判定した場合は（ステップＳ５２；ＹＥＳ）、当該ＢＥＳＴ・ＨＩＴＳ・ＡＮＤ・ＲＡＮＤＯＭ・ＰＬＡＹを終了する。
【００７３】
更に、当該複合機器１では、ＣＤのトラック番号１のトラックに予め格納されていたオリジナルデータの一部のみを、ＭＤにおけるトラック番号順に再生することもできる。以下、この様な復号機器１の動作を「ＢＥＳＴ・ＨＩＴＳ・ＡＮＤ・ＩＮＴＲＯ・ＳＣＡＮ・ＰＬＡＹ」と記す。
【００７４】
図６は、ＢＥＳＴ・ＨＩＴＳ・ＡＮＤ・ＩＮＴＲＯ・ＳＣＡＮ・ＰＬＡＹを行う際の複合機器１の動作を示すフローチャートである。
【００７５】
前提として、ＭＤ１１には既に複数のＣＤに含まれる音楽データが記録されているものとする。即ちＭＤ１１には、複数のオリジナルデータが記録されている。複合機器１の電源がオンにされると、システムコントローラ３１は、キー入力部４２の押下によって発生する状態変化信号の受信を監視する（ステップＳ６０）。この監視は、ＢＥＳＴ・ＨＩＴＳ・ＡＮＤ・ＩＮＴＲＯ・ＳＣＡＮ・ＰＬＡＹが開始されるまで行われる（ステップＳ６０；ＮＯ）。
【００７６】
システムコントローラ３１は、キー入力部４２のＢＥＳＴ・ＨＩＴＳ・ＡＮＤ・ＩＮＴＲＯ・ＳＣＡＮ・ＰＬＡＹキーが押下されると（ステップＳ６０；ＹＥＳ）、先ず全てのオリジナルデータの再生が終了したか否かを判定する（ステップＳ６１）。まだ全てのオリジナルデータの再生が終了していない場合（ステップＳ６１；ＮＯ）、システムコントローラ３１は、光ピックアップ１３がレーザを照射しているトラックに対応するＵＴＯＣ２エリアの「年」項目に日付コードとして「５０」が格納されているか否か判定する（ステップＳ６２）。
【００７７】
ＵＴＯＣ２エリアの「年」項目に「５０」が格納されていれば（ステップＳ６２；ＹＥＳ）、システムコントローラ３１は、そのトラックに記録されている音楽データがオリジナルデータである旨を認識し、そのオリジナルデータを数秒間再生する（ステップＳ６４）。数秒間の再生が終了した場合は（ステップＳ６５；ＹＥＳ）、再びステップＳ６１に戻る。
【００７８】
一方、ステップＳ６２において、ＵＴＯＣ２エリアの「年」項目に「５０」が格納されていなければ（ステップＳ６２；ＮＯ）、システムコントローラ３１は、ＭＤ１１のトラックをスキップアップする。
【００７９】
次いで、ステップＳ６１に戻り、システムコントローラ３１は、全てのオリジナルデータの再生が終了したか否か判定する。全てのオリジナルデータの再生が終了した場合は（ステップＳ６１；ＹＥＳ）、当該ＢＥＳＴ・ＨＩＴＳ・ＡＮＤ・ＩＮＴＲＯ・ＳＣＡＮ・ＰＬＡＹを終了する。
【００８０】
以上説明した様に、本実施の形態における複合機器１によれば、次の様な効果が得られる。
【００８１】
（１）ＣＤ２１のトラック番号１のトラックに格納されているオリジナルデータをＭＤ１１へ記録する際には、ＵＴＯＣ２エリアの「年」項目に日付コードとして「５０」を格納するので、システムコントローラ３１は、ＭＤ１１を再生する際に、「５０」を識別情報とすることで、ＭＤ１１に記録された複数の音楽データから、オリジナルデータを識別できる。
【００８２】
即ち、オリジナルデータを再生する際に、システムコントローラ３１は、そのオリジナルデータが記録された年が５０年であると認識するわけであるが、そのオリジナルデータ以外の音楽データの「年」項目には、「１９９９」或いは「２０００」等といった日付コードが格納されているので、「年」コードに「５０」が格納されているオリジナルデータと他の音楽データとを明瞭に区別できるわけである。
【００８３】
これにより、非常に多数の音楽データを単一のＭＤに記録する場合でも、そのＭＤの記録内容は、多数の音楽データの内、オリジナルデータのみを識別できる構造となるので、そのＭＤを再生する場合には、ＢＥＳＴ・ＨＩＴＳキーを押下操作するだけで、オリジナルデータのみの再生を容易に行える。
【００８４】
（２）シングルＣＤの一曲目に格納されているオリジナルデータのみを識別する様にしたが、このオリジナルデータに対応する曲は、概ね多くの視聴者によって好まれる嗜好性の高い曲であるので、当該複合機器１の汎用性を向上できる。勿論、再生する際には、カラオケ曲等を飛ばしてオリジナル曲のみを再生できる。
【００８５】
（３）ＢＥＳＴ・ＨＩＴＳ・ＡＮＤ・ＲＡＮＤＯＭ・ＰＬＡＹにおいては、複数のオリジナルデータの内の何れか１つをランダムに選択して、そのランダム選択したオリジナルデータを再生する様にしたので、視聴者の興趣性を向上できる。
【００８６】
（４）ＢＥＳＴ・ＨＩＴＳ・ＡＮＤ・ＩＮＴＲＯ・ＳＣＡＮ・ＰＬＡＹにおいては、オリジナルデータの一部のみを再生する様にしたので、多数のオリジナルデータがＭＤ１１に記録されている場合であっても、それら多数のオリジナルデータの内、特に所望するオリジナルデータに早くアクセスできる。
【００８７】
尚、本実施の形態における記述内容は、本発明に係る複合機器１の好適な１例であり、本発明はこれに限定されるものではない。
【００８８】
例えば、識別情報としてＵＴＯＣセクタ２エリアの「年」項目に日付コード「５０」を記録したが、この識別情報は、オリジナルデータを他の音楽データから明瞭に識別し得る情報であれば特に限定されるものではなく、「１０」や「２０」等であってもよい。また、識別情報を記録する項目は、ＵＴＯＣ２エリアに含まれる項目であれば、「年」項目に限定されず、「月」、「日」或いは「トラック名」、「スタートアドレス」「エンドアドレス」等の項目であってもよい。
【００８９】
また、記録元となる記録媒体としては、読出し可能なものであれば特にＣＤ２１に限定されない。更に、記録先となる記録媒体としては、書き込み可能なものであれば特にＭＤ１１に限定されず、ＤＶＤ（Digital Versatile ＤＩＳＣ）−ＲやＤＶＤ−ＲＡＭ等の記録媒体も含む。
【００９０】
更に、データの圧縮方式はＡＴＲＡＣIIIに限定されるものではなく、ＭＰＥＧ１方式のＬａｙｅｒIIIに対応する圧縮方式（「ＭＰ３」と称される）でもよい。
その他、複合機器１の細部構成、及び動作に関しても、本発明の趣旨を逸脱することのない範囲で適宜に変更可能であることは勿論である。
【００９１】
【発明の効果】
請求項１及び５記載の発明によれば、非常に多数のデータを第２の記録媒体に記録する場合でも、その第２の記録媒体の記録内容は、多数のデータの内、優先的に再生すべきメインデータのみを識別できる構成となるので、この第２の記録媒体を再生する場合には、多数のデータの中からメインデータのみを抽出して再生できる。従って、データとして、複数の曲の各々に対応する音楽データを第２の記録媒体に記録する場合、所望の曲に対応する音楽データをメインデータとして認識手段に認識させる様にすれば、記録した複数の曲の中から所望の曲のみを容易に再生することを実現できる。
【００９２】
請求項２記載の発明によれば、請求項１記載の発明の効果に加えて、光ディスクとして例えばシングルＣＤを採用すれば、そのシングルＣＤの最も内側のトラックに記録されている１曲目のオリジナル曲は、概ね多くの視聴者によって好まれる嗜好性の高い曲であるので、当該記録装置の汎用性を向上できる。また、複数のシングルＣＤに含まれる音楽データを単一の第２の記録媒体に記録した場合でも、カラオケ曲等をとばしてオリジナル曲のみを再生できるという利便性もある。
【００９３】
請求項３記載の発明によれば、請求項１又は２記載の発明の効果に加えて、第２の記録媒体には、予めＵＴＯＣエリアが設けられているので、識別情報を記録する為の所定の記録領域を共用することができる。これにより、識別情報の書き込み及び読み込みを迅速且つ的確に行える。
【００９４】
請求項４記載の発明によれば、請求項１乃至３記載の発明の効果に加えて、第２の記録媒体には、非常に多数のデータを記録することができる。特に、ＬＰ４モードにおいては、約３２枚分のシングルＣＤに含まれる音楽データを、単一の第２の記録媒体に記録できる。
【００９５】
請求項６記載の発明によれば、請求項５記載の発明の効果に加えて、第２の記録媒体に記録されている複数のデータの内、メインデータのみを様々な順序で自動的に再生できる。これにより、常に一定の順序でメインデータを再生する場合に比して興趣性を向上できる。
【００９６】
請求項７記載の発明によれば、請求項５又は６記載の発明の効果に加えて、多数のメインデータが第２の記録媒体に記録されている場合であっても、それら多数のメインデータの内、特に所望するメインデータにいち早くアクセスできる。
【図面の簡単な説明】
【図１】本発明を適用した複合機器の内部構成を示すブロック図である。
【図２】ＣＤからＭＤへの記録時における複合機器１の動作を示すフローチャートである。
【図３】ＢＥＳＴ・ＨＩＴＳ・ＰＬＡＹ時における複合機器１の動作を示すフローチャートである。
【図４】（ａ）はＭＤ１１の記録内容を模式的に示す図であり、（ｂ）はＢＥＳＴ・ＨＩＴＳ・ＰＬＡＹ時におけるＭＤ１１の再生順序を模式的に示す図である。
【図５】ＢＥＳＴ・ＨＩＴＳ・ＡＮＤ・ＲＡＮＤＯＭ・ＰＬＡＹ時における複合機器１の動作を示すフローチャートである。
【図６】ＢＥＳＴ・ＨＩＴＳ・ＡＮＤ・ＩＮＴＯＲＯ・ＳＣＡＮ・ＰＬＡＹ時における複合機器１の動作を示すフローチャートである。
【符号の説明】
１    複合機器
１０    ＭＤ部
１１    ＭＤ
１２,２２    スピンドルモータ
１３,２３    光ピックアップ
１４,２４    送りモータ
１５,２５    サーボ制御回路
１６,２６    ＲＦアンプ
１７    アドレスデコーダ
１８    ＥＦＭ・ＣＩＲＣエンコーダ／デコーダ
１９    ヘッド駆動部
２０    ＣＤ部
２１    ＣＤ
２７    ＥＦＭ・ＣＩＲＣデコーダ
３０    制御部
３１    システムコントローラ
３２    耐震用メモリコントローラ
３３    ＲＡＭ
３４    音声圧縮エンコーダ／デコーダ
４０    入出力部
４１    表示部
４２    キー入力部
４３    Ｄ／Ａ変換器
４４    オーディオ出力端子
４５    Ａ／Ｄ変換器
４６    オーディオ入力端子
【図１】
0003682219.tif 000002
【図２】
0003682219.tif 000003
【図３】
0003682219.tif 000004
【図４】
0003682219.tif 000005
【図５】
0003682219.tif 000006
【図６】
0003682219.tif 000007